(57)【特許請求の範囲】
【請求項１】
下部ケースのモールドのボス部に埋め込んだインサートネジにより下部ケースと上部ケースとをネジ締結するモールド締結構造において、前記ボス部のインサートネジを該モールドから切り離すネジ分離溝と、前記ボス部の周囲の離れた位置にネジの締結方向と等しい方向に設けた下部補強部と、該下部補強部とモールド勘合部を形成するために上部ケースに設けた上部補強部とを備えたことを特徴とするモールド締結構造。
【請求項２】
前記下部補強部は前記ボス部のインサートネジを分離する方向に切り欠きを有することを特徴とする請求項１記載のモールド締結構造。
【請求項３】
前記下部補強部の高さは、前記ネジ分離溝の高さより低いことを特徴とする請求項１記載のモールド締結構造。
【発明の詳細な説明】
【０００１】
【発明の属する技術分野】
本発明は、パソコンやワークステーション、プリンタ、複写機等のモールド筐体、部品等に関する。その中で特に、モールド中に金属等を埋め込んだインサートネジ等に関する。
【０００２】
【従来の技術】
従来、パソコン等を廃棄する際、モールド筺体にインサートネジが使用されていた場合、モールドから金属部分を取り除くことが困難なため、モールド筺体をリサイクルせず、破棄していた。
【０００３】
その改善として、特開平１０−２１１４８５号公報のリサイクル成型品において、インサートネジ部分に分離溝を設け、インサートネジ部分の分離を容易にし、モールド筺体をリサイクルするといった特許が公開されている。
【０００４】
しかし、単にインサートネジ部分に分離溝を設けた場合、インサートネジ自体が部品の固定に使用されるものであるため、強度的に弱くなってしまうという問題があった。
【０００５】
【発明が解決しようとする課題】
モールド筺体等をリサイクルするするために、容易にインサートネジ部分を除去したいという課題があった。しかし、単にインサートネジ部分に分離溝を設けた場合、インサートネジ自体が部品の固定に使用されるものであるため、強度的に弱くなってしまうという課題があった。
【０００６】
【課題を解決するための手段】
モールド筺体部分とインサートネジ部分に分離するための構造を設けることにより、容易にモールド部分からインサートネジ部分を分離できるようにし、かつ、分離構造にしたことにより低下した強度を保つため、インサートネジ部分の周囲に補強を有する構造とする。補強はモールド筺体の上部と下部に存在し、組み立てたときに上部と下部の補強が噛み合う構造とすることにより、横方向への強度を補強する。これにより、組み立て時には分離構造にしたことにより低下したインサートネジの強度を保つことができ、尚且つ、上部と下部に分解したときには、容易にインサートネジ部分を除去することが可能となる。
【０００７】
更に、補強の一部または複数に開いた空間を持つ構造とすることにより、ペンチ等の工具でインサートネジ部分を除去する際、ペンチ等が補強に当たることがなく、容易に除去を行うことが可能となる。
【０００８】
【発明の実施の形態】
以下、図面と例文を参照して本発明の発明の実施の形態を詳細に説明する。
【０００９】
尚、発明の実施の形態を説明するための全図において、同一機能を有するものは同一符号を付け、その繰り返しの説明は省略する。
【００１０】
図１、図２、図３、図４は、本発明の実施の形態であるインサートネジおよび補強構造の概略図であり、図１は上部ケース１０９と下部ケース１０６をネジ１１０で固定する前の状態を示す斜視図である。
【００１１】
図２は図１を一部透視化とし、上から見た図である。
【００１２】
図３は図２の面aで切った面として、横から見た断面図である。
【００１３】
図４は上部ケース１０９と下部ケース１０６をネジ１１０で固定した後の状態を、横から見た断面図である。
【００１４】
図１、図２、図３、図４において、１０１は金属等でできたナット部(ネジ受け部)、１０２はインサートネジ部(１を埋め込んだボス部)、１０３は１０２と１０５を切り離すための分離溝、１０４は１０３を補強するための下部補強部、１０５は下部ボス部(下部ケース１０６との接点)、１０６は下部ケース、１０７は上部ボス部、１０８は上部補強部、１０９は上部ケース、１１０はネジ、aは断面図の切り位置を示す面である。
【００１５】
ナット部１０１はインサートネジ部１０２に埋め込まれており、ナット部１０１をインサートネジ部１０２から除去することは困難である。従来はインサートネジ部１０２と下部ケース１０６が一体化しており、インサートネジ部１０２に金属等の別材料でできたナット部１０１が埋め込まれているため、下部ケース１０６をリサイクルすることが困難であった。下部ケース１０６をリサイクルするためには、ナット部１０１が埋め込まれたインサートネジ部１０２ごと、下部ケース１０６から除去できる構造とすれば良い。そのためには、インサートネジ部１０２と下部ケース１０６の間に分離溝１０３等を設けることで、容易に分離することが可能となる。インサートネジ部１０２と下部ケース１０６の間に分離溝１０３等を設けることにより容易に分離することを可能とする技術は特開平１０−２１１４８５号公報のリサイクル成型品において提案されている。
【００１６】
しかし、インサートネジ部１０２自体が上部ケース１０９と下部ケース１０６を固定するためのものであり、分離溝１０３を設けると強度的に弱くなってしまう問題がある。特に上部ケース１０９と下部ケース１０６をネジ１１０で固定した状態で、上部ケース１０９と下部ケース１０６が横方向（Ｘ軸方向、Ｙ軸方向）にずれた場合に、ストレスが分離溝１０３に加わることになり、強度的に弱いことが問題となってしまう。
【００１７】
分離溝１０３を設け、かつ、強度的にも問題がないようにするため、インサートネジ部１０２の周囲に下部補強部１０４を設ける。また、上部ケース１０９と下部ケース１０６を組み合わせた場合に、下部補強部１０４と組み合わさるように配置された上部補強部１０８を設ける。
【００１８】
これにより、上部ケース１０９と下部ケース１０６をネジ１１０で固定した際には、下部補強部１０４と上部補強部１０８が組み合わさり、横方向（Ｘ軸方向、Ｙ軸方向）へずれることはなくなる。分離溝１０３は横方向へのストレスに弱い構造なので、ネジ１１０で固定した際には、分離溝１０３にストレスがかかることがなく、強度的な問題を解決することができる。
【００１９】
このように、組み立て時、分離溝１０３に横方向（Ｘ軸方向、Ｙ軸方向）のストレスが加わらないことを目的として、インサートネジ部１０２の周囲に補強を有することを特徴とする。
【００２０】
また、寿命等でケースを破棄、リサイクルする場合には、ネジ１１０を外し、上部ケース１０９と下部ケース１０６を分離すれば、インサートネジ部１０２が露出し、分離溝１０３が存在するので、ペンチ等の工具でインサートネジ部１０２を容易に除去できる。インサートネジ部１０６にはナット部１０１の別材料が含まれているため、不燃ゴミとし、インサートネジ部１０６を除去した下部ケース１０６はモールド等の単一材料となるので、リサイクルすることが可能となる。
【００２１】
更に、下部補強部１０４をインサートネジ部１０２の周囲360゜に配置した場合、ペンチ等の工具でインサートネジ部１０２を除去する際、ペンチ等が下部補強部１０４に当たり、除去の障害となるので、下部補強部１０４の一部または複数を開いた構造とすることで、ペンチ等が下部補強部１０４に当たることなく、容易に除去が可能となる。
【００２２】
図５は、分離溝５０１の形状の例を示す図である。
【００２３】
図５において、５０１は分離溝である。
【００２４】
分離溝５０１は、インサートネジ部１０２をＸ軸方向にのみ除去しやすい構造となっており、下部補強１０４は円筒形でＸ軸方向に開いた空間を持つような構造となっている。そのため、インサートネジ部１０２除去の際に、下部補強１０４が障害とならず、容易にインサートネジ部１０２を除去することが可能となる。
【００２５】
このように、分離溝により分離する方向に合わせるように下部補強部の開いた空間を配置することにより、インサートネジ部の除去が容易となることを特徴とする。
【００２６】
図６は下部補強部６０１の形状の例を示す図である。
【００２７】
図６において、６０１は下部補強部、６０１ａは６０１のＸ軸に対して垂直な側の面、６０１ｂは６０１のＹ軸に対して垂直な側の面である。
【００２８】
下部補強部６０１は、Ｘ軸方向へのずれに対するストレスを面６０１ａにて吸収する。このように補強は円筒形に限らず、組み立て時に分離溝５０１へストレスが加わらないことを目的とした構造とすることを特徴とする。
【００２９】
図７、図８は分離溝１０３よりも下部補強部７０１を低くした構造であることを特徴とした例を示す図であり、横方向から見た断面図である。図７は組み立てる前の状態、図８は組み立てた後の状態を示す。
【００３０】
図７、図８において、７０１は下部補強部、７０２は上部補強部である。
【００３１】
下部補強部７０１は分離溝１０３よりも低い構造となっているため、インサートネジ部１０２をペンチ等の工具で除去する際、下部補強部７０１が障害となることはない。そのため、下部補強部７０１の一部に開いた空間を設ける必要がない。
【００３２】
また、下部補強部７０１の高さが低い分、上部補強部７０２の長さを長くすることにより、組み立てた時には、下部補強部７０１と上部補強部７０２が噛み合い、分離溝１０３に横方向のストレスがかかることはない。
【００３３】
このように下部補強部７０１に開いた空間が存在しなくとも、インサートネジ部１０２の分離が容易にでき、組み立て時に分離溝１０３へストレスが加わらないことを目的とした構造とすることを特徴とする。
【００３４】
【発明の効果】
本願において開示される発明のうち代表的なものによって得られる効果を簡単に説明すれば、下記の通りである。
【００３５】
(１)本発明によれば、モールド部とインサートネジ部分に分離溝を設け、かつ、インサートネジ部の周囲に補強を有する構造とすることにより、組み立て時にはインサートネジ部の強度を保ちつつ、分解時には容易にインサートネジ部分を除去することが可能となる。
【００３６】
(２)補強の一部または複数に開いた空間を持つ構造とすることにより、インサートネジ部分の除去を容易に行うことが可能となる。
【００３７】
(３)補強の高さをインサートネジ部分の分離溝より低い構造とすることにより、インサートネジ部分の除去を容易に行うことが可能となる。
【図面の簡単な説明】
【図１】本発明の実施の形態であるリサイクルインサートネジ構造の、上部ケース１０９と下部ケース１０６をネジ１１０で固定する前の状態を示す斜視図である。
【図２】図１を一部透視化とし、上から見た図である。
【図３】図２の面aで切った面として、横から見た断面図である。
【図４】上部ケース１０９と下部ケース１０６をネジ１１０で固定した後の状態を、横から見た断面図である。
【図５】分離溝５０１の形状の例を示す図である。
【図６】下部補強部６０１の形状の例を示す図である。
【図７】分離溝１０３よりも下部補強部７０１を低くした構造であることを特徴とした例（組み立てる前の状態）を、横方向から見た断面図である。
【図８】分離溝１０３よりも下部補強部７０１を低くした構造であることを特徴とした例（組み立てた後の状態）を、横方向から見た断面図である。
【符号の説明】
１０１…ナット(ネジ受け)部、１０２…インサートネジ部、１０３…分離溝、１０４…下部補強部、１０５…下部ボス部、１０６…下部ケース、１０７…上部ボス部、１０８…上部補強部、１０９…上部ケース、１１０…ネジ、ａ…面、５０１…分離溝、６０１…下部補強部、６０１ａ…Ｘ軸と垂直な下部補強６０１の面、６０１ｂ…Ｙ軸と垂直な下部補強６０１の面、７０１…下部補強部、７０２…上部補強部。
【図１】
0003952656.tif 000002
【図２】
0003952656.tif 000003
【図３】
0003952656.tif 000004
【図４】
0003952656.tif 000005
【図５】
0003952656.tif 000006
【図６】
0003952656.tif 000007
【図７】
0003952656.tif 000008
【図８】
0003952656.tif 000009